(57)【要約】【課題】一つのカバンから全く異なる２つのスタイルを形成する事が出来、それに伴い容積を容易に増減出来、容積拡大のための無駄なたまりを持つ無骨さもなく、ファッション性の高いカバンを提供しようとするもの。【解決手段】中心軸に対し、シンメトリーに形成された所定形状の２枚の生地の外周に、それぞれの端部同士が接合可能としたファスナーを取付け、２枚の生地の内どちらか一方の中心軸上に対峙する２点のそれぞれに差込起点を設け、他方の生地には中心軸上の１点にそれぞれ差込起点とスライダーを設け、ベルトが設けられている事を特徴とするカバンで、２枚の生地の差込位置を変えて接合する事で、スタイルが違う容積も異なる２通りのカバンになるようにしている。【選択図】  図１
2008229121.tif 000002
【特許請求の範囲】
【請求項１】
中心軸に対し、シンメトリーに形成された所定形状の２枚の生地の外周に、それぞれの端部同士が接合可能としたファスナーを取付け、２枚の生地の内どちらか一方の中心軸上に対峙する２点のそれぞれに差込起点を設け、他方の生地には中心軸上の１点にそれぞれ差込起点とスライダーを設け、ベルトが設けられている事を特徴とするカバン。
【発明の詳細な説明】
【技術分野】
【０００１】
本発明は１つのカバンから、薄く嵩張らないスタイルと、襠を持ち厚みのあるスタイルの、全く異なる２通りのスタイルを持つ事が出来、それによって収納容積を変える事の出来るカバンに関する。
【背景技術】
【０００２】
従来、カバンはスタイルが一つで容積も不変であるが、スタイルが変化し、容積が変化するカバンとして下記文献がある。
【特許文献１】特開平８−２１４９２６号公報
【特許文献２】実開昭６０−１５３２１９号公報  上記特許文献１は、少なくとも教科書を収納できる大きさのかばん本体であって、このかばん本体は前面部、後面部、両側面部、底面部及び上部開口部をそれぞれ縫製して形成され、上部開口部は１対のファスナーとスライダーによって開閉自在とし、且つ一方の側面部から底面部を介して他方の側面部にかけて、中央長手方向に沿って所定間隔を以て両ファスナーを配すると共に、かばん本体の一方の側面部に両ファスナーの基端部を隣接させ、他方の側面部に両ファスナーの基端部を隣接させて、上記両ファスナーを両側面部及び底面部に縫着すると共に、両ファスナーをスライダーを介して連結し、このスライダーによる両ファスナーの開閉によって両側面部及び底面部の幅を拡狭自在に変更できるようにし、さらに、かばん本体内の底面部の長手方向の両端に、それぞれこの底面部と幅寸法が略同じ底板の片側長手端を縫着して両底板を幅方向にスライド自在に重ね合わせ、さらに、１対の提手の各基端部を前面部又は後面部に縫着すると共に止め金具によって固着したことを特徴とする通学・旅行兼用かばん。の記載がある。また、特許文献２は、皮革、人工皮革、布地等任意の素材よりなり、内部で２枚の側板とそれぞれ底辺のみ縫着せる、合同の２枚の底板を転倒時は、底板が一体となるよう係止でき、格納時はそれぞれの側板と係止でき、長さ方向に開口部を設け、着脱可能な手さげリング、及びベルトを付設したバッグ。更にバッグ内部底板の一方の裏側に、略正方形の底板を有し底板のみ縫着し、バッグ本体を長手方向に略１／３に折りたたみ、縮小係止成形可能とし、側板の上部略半円形部に開口部を付設し、取りはずし可能とする手さげリング、及びベルトを付設したバッグ。の記載もあった。
【０００３】
また、２枚の面材からスライドファスナーによって立体的なカバンや物入れに変化するものとして下記文献がある。
【特許文献３】特開平１０−１６５２１６号公報
【特許文献４】登録実用新案第３０４１６９３号公報
【特許文献５】実開昭５８−１７５７２１号公報  上記特許文献３は、外周縁にファスナーを有する２枚の平坦状軟質材料を具備し、前記２枚の平坦軟質材料の外周縁のファスナーを接合することによりバッグ状となるようにしていることを特徴とするバッグ。の記載がある。また、特許文献４は、任意の形状の生地１の外周全体に、閉じることによって生地１を立体化して中空のバッグ本体６を形成するとともに、開くことによってバッグ本体６を展開して平面状とするスライドファスナ２を取付けて成るバッグ。の記載があり、生地１を２枚の略瓢箪形の部材１ａ，１ｂが略Ｔ字状に配置した形状としたことを特徴とする請求項１記載のバッグ。の記載もあった。更に特許文献５は、略同じ周長を有する２枚の布地の周囲に、夫々２本１対のスライドファスナーの内の一方のスライドファスナーを取付け、該スライドファスナーの起点を両布地において異なる位置にした事を特徴とする物入れ。の記載がある。
【発明の開示】
【発明が解決しようとする課題】
【０００４】
従来のカバンにも、収納物の量によって容積が増減するものがあるが、特許文献１や特許文献２のように、部分を伸縮させて容積を増減させるため、縮めている部分に無駄なたまりが出来、スタイルにさほどの変化が無く、無骨である。
【０００５】
また、ファッションやＴＰＯに合わせて別のスタイルのカバンを必要とする場合、２つのカバンを別々に用意する必要があった。
【０００６】
特許文献３、４、５では、スライドファスナーを利用して立体的なカバンを組上げる事が可能であるが、１つの展開形からは１つのカバンや物入れしか組上げる事が出来ず、また、薄い形状に開かれた場合の目的は、嵩張らずに収納や携帯に便利なだけであって、スタイルの違う別のカバンにならず不便である。
【０００７】
本発明はこれらの問題を解決しようとするものであり、一つのカバンから全く異なる２つのスタイルを形成する事が出来、それに伴い容積を容易に増減出来、容積拡大のための前持った無駄なたまりを持つ無骨さもなく、ファッション性の高いカバンを実現する事を目的とするものである。
【課題を解決するための手段】
【０００８】
本発明は上記課題を解決するために、中心軸に対し、シンメトリーに形成された所定形状の２枚の生地の外周に、それぞれの端部同士が接合可能としたファスナーを取付け、２枚の生地の内どちらか一方の中心軸上に対峙する２点のそれぞれに差込起点を設け、他方の生地には中心軸上の１点にそれぞれ差込起点とスライダーを設け、ベルトが設けられている事を特徴とするカバンである。
【発明の効果】
【０００９】
本発明は上記構成から成るので、以下に示す効果が期待出来る。
【００１０】
１、本発明は前持った無駄なたまりを持つ事無く、収納物の量によって容積を容易に増減出来る。
２、ひとつのカバンから２つの全く異なるスタイルを形成出来るため、ファッションやＴＰＯに合わせて別のスタイルのカバンを２つ用意する必要がない。
３、スライドファスナーを利用して襠を持つ立体的なカバンを形成出来、組み替えることで襠が無くなり、嵩張らず、携帯や収納にも便利なフラットでファッション性の高いボディーバッグも形成出来る。
【発明を実施するための最良の形態】
【００１１】
以下、本発明の実施の形態を図面を参照して説明する。図１〜図６に示すように、生地２ａと２ｂは中心軸１０に対し、シンメトリーに形成された略Ｙの字の同一形状であり、材質は布や革などの平坦状軟質材料から成り、防水、防汚などの性質を有すると共に剛性のある化学繊維や合成皮革やゴムなどの生地が望ましい。生地外周にはそれぞれの端部同士が接合可能なファスナー３ａ、３ｂ、３ｃ、３ｄ、３ｅ、３ｆを取付け、生地２ｂのファスナー３ｄ、３ｆには中心軸上の上方に差込起点５ａ、５ｂを設け、ファスナー３ｃ、３ｅには中心軸上の下方に差込起点６ａ、６ｂを設けており、生地２ａのファスナー３ａには中心軸上の下方に差込起点４ａと共にスライダー７ａを設け、ファスナー３ｂには中心軸上の下方に差込起点４ｂと共にスライダー７ｂを設けている。また、図１に示すように差込起点４ａと５ａ、４ｂと５ｂを差込接続し、スライダー７ａと７ｂによって生地２ａと２ｂを接続する事で図３に示す襠を持った立体的なカバンを形成出来、更に図４に示すように差込起点４ａと６ｂ、４ｂと６ａを差込接続し、スライダー７ａと７ｂによって生地２ａと２ｂを接続する事で図６に示す嵩張らないフラットなカバンを形成出来る。また、生地２ａには手や肩などに吊り下げるためのベルト８が設けてあり、該ベルトには面ファスナーやホックやバックルなどの固着具９によって長さを調整出来る。
【００１２】
次に本発明のファスナー取付概念図７に示すように、ファスナーの差込起点４ａ、４ｂ、５ａ、５ｂ、６ａ、６ｂとスライダー７ａ、７ｂの取付状態は、差込起点４ａ、４ｂ、５ａ、５ｂ、６ａ、６ｂは生地２ａと２ｂの外周面にファスナー３ａ、３ｂ、３ｃ、３ｄ、３ｅ、３ｆによって取付けられる。この場合生地２ｂには中心軸１０を挟んで左右にファスナー３ｃと３ｄ、３ｅと３ｆが差込起点５ａと６ａ、５ｂと６ｂをそれぞれ対峙に持つように二重に設けられてあり、生地２ａには中心軸１０を挟んで左右にファスナー３ａと３ｂが差込起点４ａと４ｂ、スライダー７ａと７ｂをそれぞれ持つように形成されている。
【００１３】
また、生地２ａと２ｂを２通りの方法で接合させる目的で、生地２ｂにはファスナー概念図７に示すように、ひとつの差込起点を持つファスナーを二重に縫着させ、差込起点を中心軸上の対峙する２ケ所に確保しているが、今後、１本のファスナーの対峙する２ケ所に差込起点を形成することも可能であり、その場合、生地２ｂには差込起点を２つ持つ１本のファスナーを左右に形成する事になる。
【００１４】
更に同一技術、思想を用い、図８〜図１０に示すように、生地２ａと２ｂの形状は同一で、中心軸に対しシンメトリーに形成された形状で、スライダー７ａ、７ｂがスムーズに開閉出来る形状で、襠を持ったカバンに形成出来れば、略台形や略三角形や豆形など様々の形に展開可能である。
【００１５】
また、当技術によって生地２ａと２ｂの形状は、目的収納物の大きさや形によって長さや大きさを自由に設定する事が出来、ベルトも把手や腰に巻き付けるベルトなど様々に変える事ができるため、手提げカバンや旅行カバンやウエストバッグなどを形成する事も可能である。
【図面の簡単な説明】
【００１６】
【図１】本発明の襠付き立体カバンを展開した状態の斜視図
【図２】図１のカバンを途中まで組んだ状態の斜視図
【図３】本発明を襠付き立体カバンに組上げた斜視図
【図４】本発明の平坦カバンを展開した状態の斜視図
【図５】図４のカバンを途中まで組んだ状態の斜視図
【図６】本発明を平坦カバンに組上げた斜視図
【図７】本発明のファスナー取付概念図
【図８】本発明の生地形状を略台形にし、展開した状態の斜視図
【図９】本発明の生地形状を略三角形にし、展開した状態の斜視図
【図１０】本発明の生地形状を豆形にし、展開した状態の斜視図
【符号の説明】
【００１７】
１  カバン本体
２ａ、２ｂ  生地
３ａ、３ｂ、３ｃ、３ｄ、３ｅ、３ｆ  ファスナー
４ａ、４ｂ  差込起点
５ａ、５ｂ  差込起点
６ａ、６ｂ  差込起点
７ａ、７ｂ  スライダー
８  ベルト
９  固着具
１０  中心軸
【図１】
2008229121.tif 000003
【図２】
2008229121.tif 000004
【図３】
2008229121.tif 000005
【図４】
2008229121.tif 000006
【図５】
2008229121.tif 000007
【図６】
2008229121.tif 000008
【図７】
2008229121.tif 000009
【図８】
2008229121.tif 000010
【図９】
2008229121.tif 000011
【図１０】
2008229121.tif 000012